(57)【要約】【課題】  本発明の課題は、例えば木製の収納家具において単調さを排除し、変化のある形態を創出することにある。【解決手段】  本発明は、。収納家具の本体の外面に、その本体の外面から一定量突出した形態で、前記本体とは異なる材料又は色違いの材料からなるの突出部が線状又は枠状に延びるように設けられ、  その突出部の基部は本体の外面に埋設されるように固定されていることを特徴とする。【選択図】  図１
2010022569.tif 000002
【特許請求の範囲】
【請求項１】
収納家具の本体の外面に、その本体の外面から一定量突出した形態で、前記本体とは異なる材料又は色違いの材料からなるの突出部が線状又は枠状に延びるように設けられ、
その突出部の基部は本体の外面に埋設されるように固定されていることを特徴とする収納家具。
【請求項２】
前記収納家具は、前記本体に対し前後方向に出し入れ可能な引出しと、前記本体に設けられてこの引出しを収容する引出し収容部とを備え、
前記引出し収容部の開口部の内縁に沿って前記突出部が設けられ、
前記突出部は、前記引出しが引出し収容部内に納まった状態でこの引出しの前板外面より一定量前方へ突出していることを特徴とする請求項１に記載の収納家具。
【請求項３】
前記突出部の基部は、前記引出し収容部の開口部の内側面に形成された段付部に納まり固定されるとともに、この突出部の内面と前記引出し収容部の内面とが面一状とされている請求項２に記載の収納家具。
【請求項４】
前記収納家具は、収納のための開口部の端部を支点として一軸回りに回動するように、かつその開口部をふさぐように設けられた扉を備え、
その扉によってふさがれる開口部の内縁に沿って、前記突出部が枠状に設けられ、
その突出部は、前記扉が閉じられた状態でその扉の外面より一定量前方へ突出している請求項１に記載の収納家具。
【請求項５】
前記突出部の基部は、前記収納のための開口部の内側面に形成された段付部に納まり固定されるとともに、その突出部の内面と前記開口部の内面とが面一状にされている請求項４記載の収納家具。
【請求項６】
前記収納家具の本体は、木製とされ、前記突出部は金属製とされている請求項１ないし５のいずれか１項に記載の収納家具。
【請求項７】
前記金属製の突出部は、棒状又は板状のステンレス材とされ、かつその突出部の少なくとも前記本体の外面から突出する部分は、鏡面加工が施されている請求項６に記載の収納家具。
【発明の詳細な説明】
【技術分野】
【０００１】
本発明は、収納家具に関する。
【背景技術】
【０００２】
従来、収納家具には引出しを備えたもの（特許文献１）や、扉のついた収納部を含むもの（特許文献２）等がある。
【０００３】
【特許文献１】特開２００３−１７４９４３号公報
【特許文献２】特開２００７−１７００１１号公報
【発明の開示】
【発明が解決しようとする課題】
【０００４】
しかしながら、このような収納家具は、例えば木製のものは木のぬくもりはあるが全体が単調となり、例えばスチール製のものは冷たい印象となって、ユーザーの満足を必ずしも充分に得られるとは言えなかった。
【０００５】
本発明の課題は、例えば木製の収納家具において単調さを排除し、変化のある形態を創出することにある。
【課題を解決するための手段及び発明の効果】
【０００６】
本発明は、収納家具の本体の外面に、その本体の外面から一定量突出した形態で、前記本体とは異なる材料又は色違いの材料からなるの突出部が線状又は枠状に延びるように設けられ、
その突出部の基部は本体の外面に埋設されるように固定されていることを特徴とする。
【０００７】
上記構成とすることにより、例えば木製の収納家具に対して例えば金属製の突出部が本体の外面から、一定量突出しているので、突出部の位置が強調され、突出部そのものが飾りともなり、アクセントとなる収納家具を提供する。
【０００８】
木製の本体と金属製の突出部の組合せに限らず、金属製の本体と木製の突出部の組合せ、金属製の本体と樹脂製の突出部の組合せ等、互いに異なる材料の種々の組合せがある。また、同じ材質であっても、異なる色のものを用いる（例えば本体を第１色、突出部を第２色とする等）ことも可能である。
【０００９】
また、本発明の収納家具は、前記本体に対し前後方向に出し入れ可能な引出しと、前記本体に設けられてこの引出しを収容する引出し収容部とを備え、
前記引出し収容部の開口部の内縁に沿って前記突出部が設けられ、
前記突出部は、前記引出しが引出し収容部内に納まった状態でこの引出しの前板外面より一定量前方へ突出していることを特徴とする。
【００１０】
上記構成の引出しが引出し収容部に納まった状態で、例えば金属製の突出部が引出しの前板外面より一定量前方へ突出していることで、引出しが枠状に強調されて、収納家具のシャープなアクセントとなる。しかも、例えば金属製の突出部があたかも引出しの前板の外線を形成しているかのようにもみえ、意匠効果も高い。
【００１１】
また、本発明の突出部の基部は、前記引出し収容部の開口部の内側面に形成された段付部に納まり固定されるとともに、この突出部の内面と前記引出し収容部の内面とが面一状とされている。
【００１２】
このように、突出部と引出し収容部の内面とが面一状とされることで、引出しを前後に動かす際、本体収納家具と収納物との衝突による破損を軽減させる保護材としての役割を果たすことも可能となる。
【００１３】
さらに、本発明の収納家具は、収納のための開口部の端部を支点として一軸回りに回動するように、かつその開口部をふさぐように設けられた扉を備え、
その扉によってふさがれる開口部の内縁に沿って、前記突出部が枠状に設けられ、
その突出部は、前記扉が閉じられた状態でその扉の外面より一定量前方へ突出している。
【００１４】
このようにすれば、扉の位置がその周囲をとりまく枠状の突出部によって強調されて、扉の位置がよく分かり、かつ例えば木製の本体部分から突出する例えば金属製の突出部が斬新な形態をかもしだし、しかも枠状の突出部があたかも扉の外縁を構成するようにも見え、意匠効果が高められる。
【００１５】
さらに、本発明の突出部の基部は、前記収納のための開口部の内側面に形成された段付部に納まり固定されるとともに、その突出部の内面と前記開口部の内面とが面一状にされている。
【００１６】
これにより、突出部が段部に納まり固定されることで、物の出し入れの際に、突出部が干渉せず、突出部がない場合と同様の収容量が確保できる。さらに、重い収容物や上方に位置する収容部の収容物は引きずって出し入れしてしまいがちになり、特に開口部は傷つきやすくなるが、突出部により開口縁部を保護することも可能となる。
【００１７】
加えて、収納家具の本体は、木製とされ、前記突出部は金属製とされ、
前記金属製の突出部は、棒状又は板状のステンレス材とされ、かつその突出部の少なくとも前記本体の外面から突出する部分は、鏡面加工が施されてもよい。
【発明を実施するための最良の形態】
【００１８】
以下、本発明の実施例を図面に基づいて説明する。
【００１９】
図１は、本発明の一実施例を示す斜視図である。図１に示す収納家具１は、上方に引出し２を備え、引出し２は収納家具１の本体４に形成された引出し収容部２２に対して出し入れされるようになっている。２ａは取手である。また、この収納家具１は、下側に扉３を有し、扉３の内部に収納部３３を備えている。３ａは取手である。各引出し２が出し入れされる引出し収容部２２の開口縁部には、それぞれ突出部５が、引出し２の前板の周りを囲むように短形の枠状に設けられている。
【００２０】
また、各扉３で覆われる収納部３３の開口縁部にも突出部５が、その収納部３３の開口縁部に沿って、短形の枠状に設けられている。収納家具１の本体４は木製とされ、一方突出部５は金属、例えばステンレス製の鉅形断面の棒材（ステンレスフラットバー）とされ、その鏡面加工されたものが好適に用いられる。各突出部５の基部は、引出し２における引出し収納部２２の開口縁部、並びに扉３における収納部３３の開口縁部にそれぞれ固定され、本体４の前面、言い換えれば閉じられた状態の引出し２の前面、並びに閉じられた状態の扉３の前面から、それぞれ前方に向かって一定量均等に突出している。
【００２１】
引出し２の部分の横断面図を図３Ａに示す。図３Ａ、図３Ｂから明らかなように、突出部５は木製の本体４に対して金属製の棒材又は一定の奥行きのある板状材（例えばステンレス製のフラットバー）が枠状に形成されたもので、その基部５ｂは引出し収容部２２の開口部に形成された段部２２ａに納められ、ねじ５ｃ等の固定手段によって、固定されている。引出し収容部２２は、本体４の前板部４ａに直角となるように前後方向に固定されたクロス材２２ｂと、このクロス材２２ｂに固定されて引出し２の下端を支持し前後に出入可能とするガイド部２２ｃを備えており、上述の段部２２ａは、前板部４ａ側面において、突出部５の厚さとほぼ同じ深さで形成され、従って突出部５の内面と引出し収容部２２の内面（この例ではクロス材２２ｂの内面）とがほぼ面一状となるようにされている。なお、段部２２ａは、前板部４ａとクロス材２２ｂとにまたがって、形成されてもよい。
【００２２】
引出し２の面側面と引出し収納部２２の内面および突出部５の側方内面とは、わずかのクリアランスをもって対向する。例えば、ガイド部２２ｃが引出し２の下端を案内する摺接面となる場合は、引出し２の両側面がその出し入れの際に突出部５の内面と摺接する場合もある。あるいは、引出し２が突部とレールとの係合で案内される場合、又はローラがレールを転動する形で案内される場合は、突出部５の内面が引出し２の側面とわずかのクリアランスを維持して摺接しない形態もとり得る。また、枠状の突出部５の引出し２の下端と対向する下枠部分（図２Ａの５ｆ）についても、引出し２の出し入れの案内構造によって、引出しの前板の下端と摺接する場合もあるし、わずかなクリアランスを維持して摺接しない場合もある。このとき、突出部の下端部分５ｆには、引出し２の前板下端部分が摺接することとなる。
【００２３】
そして、例えば図３Ａに示すように、突出部５の基部５ｂが引出し収容部２２に埋設された形で、埋設されない残りの部分が、突出縁部５ａとして本体４の前板部４ａから一定量ｔだけ突出する。この突出量ｔは、例えば１ｍｍ〜１０ｍｍ程度とされ、引出し２の前方から見た場合に、図３Ｂの突出部５の厚み分が、周囲の木製の本体４に対して、金属製の枠状のラインとして表われ、また引出し２の側方から見ると、例えば図４に示すように、突出量ｔの分だけ縁状のラインとして表われている。
【００２４】
他方、図１における扉３に対応する突出部５も、引出し２に対応するものと基本的には同じである。例えば、図５に示すように、扉３で覆われる収納部３３においてその収納部３３を区画する板部（これが本体４ひいては収納家具１の側板の場合もあるし、別途設けられた仕切板の場合もある）３３ｂと本体４の前板４ａとか直角に組み合わされ、前板４ａの側面に段部３３ａが形成され、そこに突出部５の基部５ｂが嵌り込む形でねじ５ｃなどの固定部材により、埋設固定されている。その段部３３ａの深さは突出部５の厚さとほぼ同一とされて、その結果、突出部５の内面と収納部３３の内面（この例では板部３３ｂの内面）とがほぼ面一状にされ、収納部３３に対する収納物の出し入れの際に、突出部５が干渉しないようになっている。そして、突出部５の突出縁部５ａは、前方からみてその厚み分が、また側面からみてその突出量ｔが、枠状の縁として認識される。
【００２５】
図６、７は、本発明の別の実施例を示している。この収納家具１０は、上側に観音開き式の一対のガラス板３０ｂ付の扉３０を備えて、その奥に上側収納部３８が設けられ、下側に装飾意匠面を有する観音開き式の一対の木製の扉３１を備えて、その奥に下側収納部３９を備えている。また、下側の扉３１のすぐ上部には一対の引出し２０を有する。２０ａ、３０ａ、３１ａは、いずれも取手である。
【００２６】
そして、図８の模式図にも示すように、上側収納部３８の開口縁部に沿って、枠状に突出部５が設けられ、また下側収納部３９の開口縁部に沿って、枠状に突出部５が設けられ、また、引出し２８の開口部に沿って枠状に突出部５が設けられている。さらにこの例では、引出しや扉と関係なく、例えば上側収納部３８の扉３０のすぐ上部に、収納家具１０を前面からみて、横方向に横断するように、１本の水平な突出部５０が付加されている。この本体１０は、木製であり、突出部５、５０は金属製の棒材又は一定の奥行きのある板状材（例えばステンレス製の鉅形断面の棒材（ステンレスフラットバー）を鏡面加工したもの、あるいは光沢メッキ鋼材製フラットバー、もしくは無地のアルミ製フラットバー等）を組み合わせて枠状または直線状にしたものである。上側又は下側収納部３８、３９及び引き出し２８の開口部に埋設される突出部５の構造は、前述の実施例と同様であるため、前記図面の図３から図５を参照、ならびに、それに対応する明細書中の説明を援用して、重複的な説明は省略する。
【００２７】
なお、上端部の水平な突出部５０は、図７にも示すように収納家具１０の側面にまで囲い込むように延びている。この図９に示すように、突出部５０は、収納家具１０の前壁部１０ｂに形成された固定溝１０ｃに、自身の基部５０ｂが嵌め込まれ、その圧入により又はその圧入と接着剤により前壁部１０ｂに埋設固定される。なお、図１０に示すように突出部５０は固定部１０ｃに嵌め込んだ状態で前壁部１０ｂの裏側から突出部５０にねじ込んだねじ５０ｄなどの固定部材で、突出部５０を前壁部１０ｂに固定してもよい。
【００２８】
いずれにしても、水平方向に延びる突出縁部５０ａや枠状の突出部５が前壁部１０ｂ及び側壁部１０ｄから外方へ一定量突出し、それが直線的線部として認識されることとなる。
【００２９】
なお、図８における上側及び下側収納部３８、３９の枠状の突出部５において、図１１、１２に示すように、扉３０（又は３１）の蝶番４５（この例では、１つの扉に対して上下に２個蝶番４５がある）は、扉３０(又は３１)の側面に蝶番羽４５ａがねじ４５ｃなどの固定部材により固定される。図１１Ｂに示すように、突出部５側の蝶番羽４５ａ´は、枠状の突出部５の縦枠部（垂直部）５ｄに重ねるように収納家具１０の収納部３８、３９の内端面にねじ４５ｃなどの固定部材により固定され、扉３０（又は３１）の開閉する時に、突出部５の縦枠部５ｄにより開閉が妨げられないように、側面からみると突出部５の突出量よりはみ出した位置で蝶番４５が支持される。
【００３０】
なお、枠状の突出部５の縦枠部（垂直部）５ｄと蝶番４５が一体的に形成されてもよい。その場合は、突出部５の縦枠部５ｄに、蝶番４５を構成する軸受部４５ｂが溶接などの固定手段により一体化され、他方扉３０（又は３１）側の軸部４５ｄがこの軸受部４５ｂに挿入され、これによって扉３０（又は３１）が蝶番４５を介して突出部５の縦枠部５ｄにより回転可能に支持されてもよい。
【００３１】
つまり、図１２に示すように突出部５の埋設される基部５ｂから、外方へｔだけ突出する突出縁部５ａに対し、蝶番４５の軸部４５ｄがさらに外方へ突出して取り付けられる。
【００３２】
なお、図１３〜１６は、理解を容易にするために、図６、７等に示した収納家具１０をグラフィック画像で示したものであり、図１３は収納家具１０の全体斜視図であり、白く見える上端の横ライン、そのすぐ下の観音開き式の扉に対応する枠状部、下側の２つの引き出しに対応する２つの枠状部、さらにその下側の観音開き式の扉に対応する大きな１つの枠状部が、いずれも前述の突出部５０および５を示している。図１４は、下側の引出し部分ならびに扉部分の突出部５を示しており、突出部５が外方（前方）へ一定量突出しているのか分かる。図１５は、上側の扉部分の枠状の突出部５を拡大して示しており、蝶番の軸受部４５ｂが突出部５より前方に取り付けられていることがわかる。なお、この図１５に示すように、最上部の横ラインは、金属板５０´を外方へ突出させることなく外面と面一状に埋め込んだ形態としてもよい。
【００３３】
図１６は、上側扉部分の枠状の突出部５における下側部分を示しており、突出部５が一定量外方へ突出している外観、ならびに蝶番の軸受部４５ｂが突出部５より前方に取り付けられている形態が分かる。
【図面の簡単な説明】
【００３４】
【図１】本発明の一実施例である収納家具の斜視図。
【図２Ａ】その収納家具において引出しの回りに突出部を形成した形態を、引出しを入れた状態で示す正面図。
【図２Ｂ】引出しにおける突出部の構造を示す斜視図。
【図３Ａ】図２における横断面図。
【図３Ｂ】突出部の形態を示す斜視図。
【図４】図２における縦断面図。
【図５】本発明の扉３で覆われる収納部の横断面図。
【図６】本発明の別の実施例である収納家具を示す正面図。
【図７】図６の側面図。
【図８】突出部の形成形態を模式的に示す正面図。
【図９】引出し及び扉部分以外の部分に突出部を設ける場合の縦断面図。
【図１０】図９の変形例を示す縦断面図。
【図１１Ａ】図６、７における突出部と扉の蝶番との取付構造を示す斜視図。
【図１１Ｂ】図１１Ａの横断面図。
【図１２】図１１の縦側面図。
【図１３】図６、７に対応する収納家具を写真画像で示す斜視図。
【図１４】図１３の下側部分の拡大斜視図。
【図１５】図１３の上側部分の拡大斜視図。
【図１６】図１３の上側扉部の下側部分を示す拡大斜視図。
【符号の説明】
【００３５】
１、１０        収納家具
２              引出し
３              扉
４              本体
５              突出部
５ｂ            基部
２２ａ、３３ａ  段部
【図１】
2010022569.tif 000003
【図２Ａ】
2010022569.tif 000004
【図２Ｂ】
2010022569.tif 000005
【図３Ａ】
2010022569.tif 000006
【図３Ｂ】
2010022569.tif 000007
【図４】
2010022569.tif 000008
【図５】
2010022569.tif 000009
【図６】
2010022569.tif 000010
【図７】
2010022569.tif 000011
【図８】
2010022569.tif 000012
【図９】
2010022569.tif 000013
【図１０】
2010022569.tif 000014
【図１１Ａ】
2010022569.tif 000015
【図１１Ｂ】
2010022569.tif 000016
【図１２】
2010022569.tif 000017
【図１３】
2010022569.tif 000018
【図１４】
2010022569.tif 000019
【図１５】
2010022569.tif 000020
【図１６】
2010022569.tif 000021